(57)【要約】  ニキビおよび吹出物を除去するための衛生器具（１）。本発明による衛生器具（１）は、把持部（３）と、少なくとも１つの処置部（４）とを有する少なくとも１つの長丈の本体（２）含み、この１つの処置部は丸みを帯び、好適な表面粗さを有する。
2008531182.tif 000002
【特許請求の範囲】
【請求項１】
把持部（３、３’、３’’、３’’’および３’’’ａ）と、少なくとも１つの処置部（４および５、４’、４’’、４’’’および４’’’ａ）とを有する、少なくとも１つの長丈の本体（２、２’、２’’、２’’’および２’’’ａ）を含み、前記少なくとも１つの処置部が丸みを帯び、好適な表面粗さを有することを特徴とする、ニキビおよび吹出物の除去用衛生器具（１、１’、１’’、１’’’）。
【請求項２】
把持部（３）が２つの処置部（４、５）を、把持部（３）の対向する両端部に有することを特徴とする請求項１に記載の衛生器具（１）。
【請求項３】
処置部（４、５）が互いに異なる直径を有することを特徴とする請求項２に記載の衛生器具（１）。
【請求項４】
前記少なくとも１つの処置部（４および５、４’、４’’、４’’’および４’’’ａ）に着脱式の使い捨て型先端部が設けられていることを特徴とする請求項１に記載の衛生器具（１、１’、１’’、１’’’）。
【請求項５】
把持部（３’）に、ユーザの指に好適な寸法の少なくとも１つの窪み（８’）が設けられていることを特徴とする請求項１に記載の衛生器具（１’）。
【請求項６】
把持部（３’’）が、指ぬきの形状（８’’）を有することを特徴とする請求項１に記載の衛生器具（１’’）。
【請求項７】
長丈の丸みを帯びた２つの本体（２’’’および２’’’ａ）を含み、それぞれが処置部（４’’’および４’’’ａ）と、丸い先端部（６’’’および６’’’ａ）を有する把持部（３’’’および３’’’ａ）とを有し、前記本体（２’’’および２’’’ａ）が、処置部（６’’’および６’’’ａ）と対向する端部で、好適な長さの弾性を有する接続手段（９’’’）によって互いに接続していることを特徴とする請求項１に記載の衛生器具（１’’’）。
【請求項８】
一連の衛生器具（１、１’、１’’、１’’’）が、少なくとも１つの処置部（４および５、４’、４’’、４’’’および４’’’ａ）を有し、この処置部の先端部が異なる表面粗さを有することを特徴とする請求項１から７のいずれかに記載の衛生器具（１、１’、１’’、１’’’）。
【請求項９】
処置部（４および５、４’、４’’、４’’’および４’’’ａ）の先端部（６および７、６’、６’’、６’’’および６’’’ａ）に、殺菌性を有する表層構造が設けられていることを特徴とする請求項１から８のいずれかに記載の衛生器具（１、１’、１’’、１’’’）。
【発明の詳細な説明】
【技術分野】
【０００１】
本発明は、ニキビおよび吹出物の除去用衛生器具に関する。
【背景技術】
【０００２】
これまでニキビおよび吹出物は人の手、特に指の爪で除去されていた。指の爪を用いるときに問題となるのは、見栄えの悪い痕が残ることである。これは特に身体の見える部分、とりわけ顔部のニキビおよび吹出物の除去にとって悩みの種である。
【０００３】
また別の問題として、指の爪でニキビおよび吹出物を除去すると、爪には雑菌が多く存在するため、これらがニキビおよび／または吹出物の除去で生じた傷口に感染する恐れもある。これは傷痕を残す結果になりかねない。
【発明の開示】
【発明が解決しようとする課題】
【０００４】
本発明の目的は、上述の問題点を軽減することにある。
【０００５】
本目的は、把持部と、少なくとも１つの処置部とを有する長丈の、少なくとも１つの本体を含み、この少なくとも１つの処置部が丸み帯び、且つ好適な表面粗さを有する衛生器具で達成される。
【発明を実施するための最良の形態】
【０００６】
本発明の例について添付図を参照しながら以下に説明するが、この例は本発明を限定するものではない。
【０００７】
図１ａおよび図１ｂは、第１の実施態様による衛生器具１を示し、この衛生器具は２つの処置部４および５を有するスティック状で長丈の、好ましくは丸みを帯びた本体２を含む。本体は把持部３として機能する。処置部４および５の先端部６および７は丸みを帯び、且つ、互いに異なる表面の粗さを有することが好ましく、この表面粗さによって、ニキビおよび吹出物を除去する際に皮膚に対して器具が滑らなくなる。先端部６および７の直径を変えることもできる。このように、この衛生器具を用いるときユーザは吹出物および／またはニキビ除去に最適な方の処置部４または５を選択することができる。さらにこれらの処置部は本体２の対向する両端部に配置されることが好ましい。
【０００８】
図１ａにおいて、長丈の本体２は上方から見ると、長丈の端部を有する僅かに凸状の形状を有し、側部から見ると（図１ｂ）丸みを帯びた形状を有する。
【０００９】
把持部３は、衛生器具１のユーザがこの把持部３をしっかり握ることができるように選択された表層構造を有することが好ましい。
【００１０】
図２が示す第２の実施態様では、衛生器具１’は把持部３’と、上述した好適な粗さを有する好ましくは丸みを帯びた先端部６’を備えた処置部４’とを有する、長丈の、好ましくは丸みを帯びた本体２’を含む。衛生器具１’は、衛生器具１とは直径の異なる丸みを帯びた先端部６’を有してもよい。把持部３’には少なくとも片面にユーザが指で把持部を握るのに好適な寸法の凹部８’が設けられている。
【００１１】
図３が示す第３の実施態様では、衛生器具１’’は把持部３’’と、上述した好適な粗さを有する好ましくは丸みを帯びた先端部６’’を備えた処置部４’’とを有する長丈の、好ましくは丸みを帯びた本体２’’を含む。上述したように、衛生器具１’’が衛生器具１とは直径の異なる丸みを帯びた先端部６’’を有してもよい。把持部３’’は、指ぬきの形状８’’を有し、ユーザはここに指を嵌めて衛生器具１’’を使用する。
【００１２】
図４が示す第４の実施態様では、衛生器具１’’’が、処置部４'''および４’’’ａを有するスティック状で長丈の、好ましくは丸みを帯びた２つの本体２’’’および２’’’ａを含む。図１が示す実施態様と同様に、本体は把持部３’’’および３’’’ａとして機能し、処置部４’’’および４’’’ａの先端部６’’’および６’’’ａは丸みを帯びていることが好ましい。この実施態様において、本体２’’’および２’’’ａは、処置部６’’’および６’’’ａと対向する端部で、好適な長さの弾性を有する接続手段９’’’によって互いに接続しているため、この衛生器具１’’’でニキビおよび吹出物を除去する際、ユーザは把持部３’’’および３’’’ａを両手でそれぞれ握ることができる。上と同様に、衛生器具１’’’が衛生器具１とは直径の異なる丸みを帯びた先端部６’’’および６’’’ａを有することもできる。
【００１３】
上述した全ての実施態様において、処置部４および５、４’、４’’、４’’’および４’’’ａの先端部６および７、６’、６’’、６’’’および６’’’ａにも、皮膚に対して滑らないようにするための表層構造（図示していない）を設けることができる。さらにこの表面構造が殺菌性を有してもよい。処置部４および５、４’、４’’、４’’’および４’’’ａのそれぞれに、着脱可能な、使い捨ての先端部（図示していない）を設けることもできる。これら一連の衛生器具１、１’、１’’、１’’’は本発明の範囲内で、皮膚に対して滑らないように、表面粗さの異なる先端部および／または直径の異なる先端部を有してもよい。
【００１４】
衛生器具１、１’、１’’、１’’’は使い捨て型で、且つプラスチック材料で作製することが好ましい。しかしながら、この衛生器具１、１’、１’’、１’’’を、木や金属といった、いかなる好適な材料で作製してもよい。
【００１５】
本発明による、ニキビおよび吹出物除去のための衛生器具１、１’、１’’、１’’’を使用するとき、ユーザは各把持部３、３’、３’’、３’’’および３’’’ａを両手でそれぞれ握り、処置部のそれぞれの部分４および５、４’、４’’、４’’’および４’’’ａのそれぞれの先端部６および７、６’、６’’、６’’’および６’’’ａを、ニキビおよび吹出物の両側に配置し、徐々に圧迫することで、皮膚に痕を残すことなく、または、すぐに消える僅かな痕だけで、ニキビおよび吹出物を除去することができる。
【００１６】
本発明による衛生器具１、１’、１’’、１’’’を用いれば、耳の内部または後方、小鼻、顎の窪みに生じたニキビおよび吹出物のより簡単な除去が可能となる。
【００１７】
本発明の衛生器具１、１’、１’’、１’’’は普通の健康な肌用であることに留意されたい。
【図面の簡単な説明】
【００１８】
【図１ａ】本発明による衛生器具の第１の実施態様の上面図である。
【図１ｂ】図１ａが示す実施態様の側面図である。
【図２】本発明による衛生器具の第２の実施態様の側面図である。
【図３】本発明による衛生器具の第３の実施態様の側面図である。
【図４】器具が２つの本体を含む、本発明による衛生器具の第４の実施態様の側面図である。
【図１ａ】
2008531182.tif 000003
【図１ｂ】
2008531182.tif 000004
【図２】
2008531182.tif 000005
【図３】
2008531182.tif 000006
【図４】
2008531182.tif 000007
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
把持部（３、３’、３’’、３’’’および３’’’ａ）と、少なくとも１つの処置部（４および５、４’、４’’、４’’’および４’’’ａ）とを有する長丈の２つの本体（２、２’、２’’、２’’’および２’’’ａ）を含み、前記少なくとも１つの処置部が丸みを帯びた先端部を有することを特徴とするニキビおよび吹出物の除去用衛生器具（１、１’、１’’、１’’’）。  
【請求項２】
把持部（３）が２つの処置部（４、５）を、把持部（３）の対向する両端部に有することを特徴とする請求項１に記載の衛生器具（１）。
【請求項３】
処置部（４、５）の丸みを帯びた先端部（６、７）が互いに異なる直径を有することを特徴とする請求項２に記載の衛生器具（１）。
【請求項４】
処置部（４、５）の丸みを帯びた先端部（６、７）が、互いに異なる表面粗さを有することを特徴とする請求項２または３に記載の衛生器具（１）。
【請求項５】
前記少なくとも１つの処置部（４および５、４’、４’’、４’’’および４’’’ａ）に着脱式の使い捨て型先端部が設けられていることを特徴とする請求項１に記載の衛生器具（１、１’、１’’、１’’’）。
【請求項６】
把持部（３’）に、ユーザの指に好適な寸法の少なくとも１つの窪み（８’）が設けられていることを特徴とする請求項１に記載の衛生器具（１’）。
【請求項７】
把持部（３’’）が、指ぬきの形状（８’’）を有することを特徴とする請求項１に記載の衛生器具（１’’）。
【請求項８】
長丈の丸みを帯びた２つの本体（２’’’および２’’’ａ）を含み、それぞれが処置部（４’’’および４’’’ａ）と、丸い先端部（６’’’および６’’’ａ）の設けられた把持部（３’’’および３’’’ａ）とを有し、前記本体（２’’’および２’’’ａ）が、その処置部（６’’’および６’’’ａ）と対向する端部で、好適な長さの弾性を有する接続手段（９’’’）によって互いに接続していることを特徴とする請求項１に記載の衛生器具（１’’’）。
【請求項９】
一連の衛生器具（１、１’、１’’、１’’’）が、少なくとも１つの処置部（４および５、４’、４’’、４’’’および４’’’ａ）を有し、この処置部の先端部が異なる表面粗さを有することを特徴とする請求項１から８のいずれかに記載の衛生器具（１、１’、１’’、１’’’）。
【請求項１０】
処置部（４および５、４’、４’’、４’’’および４’’’ａ）の先端部（６および７、６’、６’’、６’’’および６’’’ａ）に殺菌性を有する表層構造が設けられていることを特徴とする請求項１から９のいずれかに記載の衛生器具（１、１’、１’’、１’’’）。
【国際調査報告】
2008531182.tif 000008
2008531182.tif 000009
2008531182.tif 000010
2008531182.tif 000011